(57)【要約】【課題】伸縮屈曲自在のノズルを備えた容器を提供する。【解決手段】ノズルを備えた容器本体とそのキャップとからなるノズル付容器において、ノズルが、容器本体に結合するための取付部と、伸縮自在の蛇腹型主体部と、ノズル先端部の外周面上の一円周に沿って設けられた、キャップ係止部から成るノズル部とを有し、キャップが、その内面に、それを容器本体に取り付けたとき、ノズルの蛇腹型主体部が圧縮された状態で、ノズルのキャップ係止部を受け入れるノズル先端収納穴と、ノズル先端収納穴の開口部付近に、その内面上の一円周に沿って設けられ、そのキャップ係止部を係止し得るノズル係止部と、キャップを容器本体に取り付けるとき、ノズルの蛇腹型主体部を圧縮しつつ、ノズル先端のキャップ係止部をノズル係止部に導き係止させるテーパーガイド面を有すること、を特徴とする上記のノズル付容器。【選択図】図１
2005047589.tif 000002
【特許請求の範囲】
【請求項１】
軟質の材料からなり、内容物を噴出するノズル（20）を備えた絞出型のノズル付容器本体（10）と、そのノズル（20）を覆うよう容器本体（10）に取り付けられるキャップ（30）とからなるノズル付容器において、
容器本体（10）のノズル（20）が、
容器本体（10）に結合するための取付部(22)と、
伸縮自在の蛇腹型主体部（24a）と、ノズル先端部(24b)の外周面上の一円周に沿って設けられた、キャップ係止部(24ｃ)から成るノズル部（24）とを有し、
キャップ(30)が、
その内面に、それを容器本体(10)に取り付けたとき、ノズル(20)の蛇腹型主体部(2４a)が圧縮された状態で、ノズル(20)のキャップ係止部(24c)を受け入れるノズル先端収納穴（34）と、
ノズル先端収納穴（34）の開口部付近に、その内面上の一円周に沿って設けられ、そのキャップ係止部(24ｃ)を係止し得るノズル係止部(36)と、
キャップ(20)を容器本体(10)に取り付けるとき、ノズル(20)の蛇腹型主体部(2４a)を圧縮しつつ、ノズル先端のキャップ係止部(24ｃ)をノズル係止部(36)に導き係止させるテーパーガイド面(38)を有すること、
を特徴とする上記のノズル付容器。
【請求項２】
キャップ係止部（24ｃ）が、ノズル先端部の外周面上の一円周に沿って設けられた凸条であり、
ノズル係止部（36）が、ノズル先端収納穴（34）の内周面上の一円周に沿って設けられた凸条である、請求項1に記載のノズル付容器。
【請求項３】
キャップ係止部（24ｃ）が、ノズル先端部の外周面上の一円周に沿って設けられた凸条であり、
ノズル係止部（36）が、ノズル先端収納穴（34）の内周面上の一円周に沿って設けられた、キャップ係止部（24ｃ）の断面形状に適合する断面形状を有する凹溝である、請求項1に記載のノズル付容器。
【請求項４】
キャップ係止部（24ｃ）が、ノズル先端部の外周面上の一円周に沿って設けられた凹溝であり、
ノズル係止部（36）が、ノズル先端収納穴（34）の内周面上の一円周に沿って設けられた、キャップ係止部（24ｃ）の断面形状に適合する断面形状を有する凸条である、請求項1に記載のノズル付容器。
【請求項５】
キャップ(30)が容器本体(10)に取り付けられたとき、ノズル先端部と、キャップ内面の間で、内容物のシールが行われる請求項1乃至4の何れか一に記載のノズル付容器。
【請求項６】
キャップ(30)のノズル先端収納穴(34)の底部に、キャップ（30）が容器に取り付けられたとき、ノズル先端を閉鎖し得るプラグ（39）が設けられる請求項5に記載のノズル付容器。
【発明の詳細な説明】
【技術分野】
【０００１】
本発明は、軟質の材料から成る、内容物を押し出し又は振り出すためのノズルを具備した容器に関する。
【背景技術】
【０００２】
ノズル付容器、特に、各種の液状、粘液状、粉状、粒状等の内容物、例えば、洗浄剤、消毒液、洗剤、除草剤、肥料，農薬などを充填した、内容物押出或いは振出式のノズル付容器は、家庭用及び業務用に広く用いられている。
【０００３】
これらの容器には。正立状態で用いられるものの外、倒立状態で用いられるものがあり、又内容物を放出すべき方向についても各種のものがある。
容器を任意の状態に保持し、かつその内容物放出方向を任意に変えられる容器も種々提案されている。
【０００４】
以下に示す特許文献には、蛇腹型の屈曲自在のノズルを備え、任意の方向に内容物を放出し得るノズル付容器が開示されている。
蛇腹型ノズルは折り畳まれた状態で容器の開口部の周縁部に設けたパッキンとキャップの間に挟まれており、キャップをはずした後、手で蛇腹型ノズルの屈曲を行い、洋式便器のヘリの裏側に洗剤などを噴射できるようにするものである。
ノズルを伸縮することは記載されていない。
このような便器洗浄用の洗浄剤容器などでは、キャップを外すとき、ノズルには直接手を触れることなくノズルを引き伸ばし所望の方向に向けることができ、キャップを閉めるときも、直接には手を触れることなく、ノズルを折り畳み縮小し、収納できるようにすることができれば好都合である。
【特許文献１】特開昭07−132983号公報
【発明の開示】
【発明が解決しようとする課題】
【０００５】
解決しようとする問題点は、キャップを外すとき、ノズルには直接手を触れることなくノズルを引き伸ばし所望の方向に向けることができ、キャップを閉めるときも、直接には手を触れることなく、ノズルを折り畳み縮小し、収納できるようにすることである。
【課題を解決するための手段】
【０００６】
本発明においては、叙上の課題を解決するため、軟質の材料からなり、内容物を噴出するノズルを備えた絞出型のノズル付容器本体と、そのノズルを覆うよう容器本体に取り付けられるキャップとからなるノズル付容器において、
容器本体のノズルを、伸縮自在の蛇腹型主体部と、ノズル先端部の外周面上の一円周に沿って設けられた、キャップ係止部とにより構成し、更に、
キャップには、キャップを容器本体に取り付けるとき、ノズルの蛇腹型主体部を圧縮しつつ、ノズル先端のキャップ係止部をノズル係止部に導き係止させるテーパーガイド面を設け、
キャップには、
その内面に、それを容器本体に取り付けたとき、ノズルの蛇腹型主体部が圧縮された状態で、ノズルの先端部を受け入れるノズル先端収納穴と、
ノズル先端収納穴の開口部付近に、その内面上の一円周に沿って設けられ、そのキャップ係止部を係止し得るノズル係止部と、
キャップを容器本体に取り付けるとき、ノズルの蛇腹型主体部を圧縮しつつ、ノズル先端のキャップ係止部をノズル係止部に導き係止させるテーパーガイド面を設ける。
【０００７】
而して、望ましい一実施例においては、キャップ係止部を、ノズル先端部の外周面上の一円周に沿って設けられた凸条とし、ノズル係止部を、ノズル先端収納穴の内周面上の一円周に沿って設けられた凸条とし、更に、キャップを閉めるとき、ノズル係止部が、キャップ係止部を乗り越え、キャップ係止部を係止するようにし、そして更に、キャップが開かれるとき、係止部に作用する抵抗力が適宜の値に達するまでは、ノズルが引き伸ばされ、抵抗力が一定の限界に達すると、係止が解除され、キャップを自由に取り外し得るようにする。
【０００８】
他の望ましい実施例においては、キャップ係止部と、ノズル係止部の内の何れか一方を凸条とし、他の一方をその凸条をと係合し得る凹溝とする。
【０００９】
内容物が液体などである場合、キャップが容器に取り付けられたとき、ノズル先端部と、キャップ内面の間で、内容物のシールが行われるよう構成することが望ましい。
そのため、キャップのノズル先端収納穴の底部に、キャップが容器に取り付けられたとき、ノズル先端を閉鎖し得るプラグを設けることが推奨される。このプラグは、インナーリングとも呼ばれているものである。
【発明の効果】
【００１０】
本発明に係るノズル付容器は、叙上の如く構成されるから、キャップを開けるときは、ノズルは自然に適度に伸張され、その先端を適宜の物体、例えばキャップの触れさせて曲げることができ、キャップを閉めるときは、キャップを閉めると、ノズルが曲がっていてもノズルの先端は自然にキャップに設けたテーパーガイド面によりノズル先端収納穴に導かれ、更にキャップが閉まるとき、ノズルの蛇腹部分は圧縮され、折り畳まれて、キャップ内部に収納される。
【発明を実施するための最良の形態】
【００１１】
以下図面により、本発明の一実施例の構成について説明する。
【実施例１】
【００１２】
図１は、本発明の一実施例におけるノズル及びキャップ部分の構成を示す一部破断側面図、図２は、図１に示した部分の、キャップを外した状態を示す側面図、図３は、ノズルを曲げた状態を示す側面図、図４は、キャップを閉める過程におけるノズルとキャップの関係を示す一部破断側面図である。
【００１３】
これらの図において、10は容器本体部、20はノズル、30はキャップである。
【００１４】
而して、容器本体部10は、軟質の材料からなり、その開口部にノズル20を取り付けるための雄ネジ部12と、円筒状のシール部14を有する。
【００１５】
ノズル20は、本体部10に取り付けるための結合部22と、ノズル部24とからなり、結合部22にはノズル20を本体部10に気密に取り付けるため、シール部14と同芯に篏合する二重の円筒部22a及び22bを有し、これらの間には、適宜の抜け止めが設けられる。
ノズル部24は、蛇腹構造の主体部24aと、先端部24b及びキャップ係止部24cとから成る。
主体部24aは伸縮及び屈曲自在であり、キャップ係止部24cは、先端部の縁辺に沿って設けられる凸条である。
【００１６】
キャップ30は、本体部の雄ネジ部12に適合する雌ネジが設けられた円筒部32が設けられ、その内部の最奥部(本明細書では、底部と言うものとする。)には、ノズル先端を受け入れるノズル先端収納穴34が設けられており、その穴34の周縁部には、ノズル先端のキャップ係止部24cと係合するノズル係止部36が設けられる。
本実施例において、キャップ係止部34cは、ノズルの先端に、ノズル係止部36は穴34の縁辺に設けられているが、これらの位置は特に限定されない。要するにキャップ30が閉められるとき、ノズル係止部36がキャップ係止部24cを乗越え、両者が互いにかみ合って、係止されれば良いものである。
又、円筒部32とノズル先端収納穴34の周壁部との間には、ノズルの先端を導くためのテーパー状のガイド面38が形成され、これにより、ノズルの先端24bがその収納穴34に導かれ、キャップ30が閉じられるとき、ノズルの蛇腹部分24aが正しく圧縮され、キャップ係止部24cが、ノズル係止部36を乗り越えてその収納穴34に入るものである
尚このとき、必要に応じて、プラグ39がノズル先端の開口部に入り、密栓を行うよう構成する。
【００１７】
このため、キャップを外す場合、図2に示したように、ノズルの蛇腹は、キャップとの係止が解除されるまでに、一定に長さに引き伸ばされる。
この後使用する前に、ノズルは何かの物体、例えばキャップや、便器のヘリなどに押し当てられ、図3に示す如く押し曲げられる。
そして、使用後は、ノズルがある程度曲がったままでも、キャップをはめると、ノズルの先端は独りでにテーパーガイド面にそって導かれ、図4に示した状態となり、更にキャップを閉めると、図1に示された状態に戻る。
【００１８】
尚、本発明の構成は、叙上の実施例の構成に限定されるものではない。例えば、キャップとノズルの係合機構は、凹溝と凸条、又は、係止爪等によることができ、更にノズルが一定の長さ以上に伸張しないようにするためノズル内部にストッパーを設けることも推奨されるものであり、キャップもねじ込み式のものでなく押し込み式のものであっても良く、本発明は叙上の記述から容易に想到出来るすべての変更例を包摂するものである。。
【産業上の利用可能性】
【００１９】
本発明によるときは、使い勝手の良い洗剤等の容器を提供し得るので、産業上利用でき、これを実施すれば多大の利益がある。
【図面の簡単な説明】
【００２０】
【図１】本発明の一実施例におけるノズル及びキャップ部分の構成を示す一部破断側面図である。
【図２】図１に示した部分の、キャップを外した状態を示す側面図である。
【図３】ノズルを曲げた状態を示す側面図である。
【図４】キャップを閉める過程におけるノズルとキャップの関係を示す一部破断側面図である。
【符号の説明】
【００２１】
10    容器本体    
12    雄ネジ部
20      ノズル
22    取付部    
24    ノズル部
24a    蛇腹型主体部分
24b    ノズル先端部
24c    キャップ係止部
30    キャップ
32    雌ネジ部
34    ノズル先端収納穴
36    ノズル係止部
38    テーパーガイド面
39    プラグ又はインナーリング
【図１】
2005047589.tif 000003
【図２】
2005047589.tif 000004
【図３】
2005047589.tif 000005
【図４】
2005047589.tif 000006
【手続補正書】
【提出日】平成15年8月4日(2003.8.4)
【手続補正１】
【補正対象書類名】明細書
【補正対象項目名】００１６
【補正方法】変更
【補正の内容】
【００１６】
キャップ30は、本体部の雄ネジ部12に適合する雌ネジが設けられた円筒部32が設けられ、その内部の最奥部(本明細書では、底部と言うものとする。)には、ノズル先端を受け入れるノズル先端収納穴34が設けられており、その穴34の周縁部には、ノズル先端のキャップ係止部24cと係合するノズル係止部36が設けられる。
本実施例において、キャップ係止部24cは、ノズルの先端に、ノズル係止部36は穴34の縁辺に設けられているが、これらの位置は特に限定されない。要するにキャップ30が閉められるとき、ノズル係止部36がキャップ係止部24cを乗越え、両者が互いにかみ合って、係止されれば良いものである。
又、円筒部32とノズル先端収納穴34の周壁部との間には、ノズルの先端を導くためのテーパー状のガイド面38が形成され、これにより、ノズルの先端24bがその収納穴34に導かれ、キャップ30が閉じられるとき、ノズルの蛇腹部分24aが正しく圧縮され、キャップ係止部24cが、ノズル係止部36を乗り越えてその収納穴34に入るものである
尚このとき、必要に応じて、プラグ39がノズル先端の開口部に入り、密栓を行うよう構成する。